(57)【要約】【課題】装置を大形化することなく利便性の向上を図ることができる通信装置を提供する。【解決手段】パネル操作部１３と表示部１２とパネル制御部とを有する表示パネル２と、表示パネル２を着脱可能に電気的かつ機械的に接続する接続部１０とパネル検知部と回線通信部と本体制御部とを有する本体装置３とを備え、パネル検知部では、表示パネル２が前記接続部１０に接続されたか否かを検知する。回線通信部では、回線を介して外部通信端末と通信する。本体制御部は、パネル検知部からの検知情報に基づいて、最終的に入力された通信機能設定情報および、予め定める所定の通信機能設定情報のいずれか１つを選択的に用いる。【選択図】      図１
2004236147.tif 000002
【特許請求の範囲】
【請求項１】
少なくとも通信情報および通信機能設定情報のいずれか１つを入力可能なパネル操作部と、通信情報および通信機能設定情報を表示可能な表示部と、パネル操作部および表示部を制御するパネル制御部とを有する表示パネルと、
表示パネルを着脱可能に電気的かつ機械的に接続する接続部と、表示パネルが前記接続部に接続されたか否かを検知するパネル検知部と、回線を介して外部通信端末と通信する回線通信部と、パネル検知部からの検知情報に基づいて、最終的に入力された通信機能設定情報および、予め定める所定の通信機能設定情報のいずれか１つを選択的に用いる本体制御部とを有する本体装置とを備えることを特徴とする通信装置。
【請求項２】
本体装置は、前記所定の通信機能設定情報を登録するための登録部をさらに備えることを特徴とする請求項１に記載の通信装置。
【請求項３】
パネル制御部は、予め定める所定の通信機能設定情報を更新可能に表示部に表示することを特徴とする請求項１に記載の通信装置。
【請求項４】
接続部に対して表示パネルが非接続状態のとき、本体制御部は、発信先の外部通信端末に応じて、音声を自動的に録音する留守録機能または画像データを自動的に記録手段に記録する記録手段受信機能のいずれか１つに切り替えることを特徴とする請求項１に記載の通信装置。
【請求項５】
本体装置は本体側無線通信部をさらに備え、表示パネルは表示側無線通信部をさらに備え、
前記本体側無線通信部は、接続部に対して表示パネルが非接続状態で、発信先の外部通信端末からの着信があるとき、その着信情報を表示側無線通信部に無線通信することを特徴とする請求項１に記載の通信装置。
【請求項６】
表示パネルは、外部通信端末から着信される着信情報を取得する着信情報取得部をさらに備え、パネル制御部は、本体側無線通信部から無線送信された着信情報を、着信情報取得部によって報知することを特徴とする請求項５に記載の通信装置。
【請求項７】
着信情報は、発信元の外部通信端末から受信した電話番号、留守録音声情報、メールアドレス、ファクシミリ画像データ、およびメール受信データの少なくともいずれか１つを含むことを特徴とする請求項５に記載の通信装置。
【請求項８】
接続部に対して表示パネルが接続状態から非接続状態に切り替えられたとき、本体制御部は、パネル検知部からの検知情報に基づいて、最終的に入力された通信機能設定情報を、予め定める所定の通信機能設定情報に切り替えるように構成され、
接続部に対して表示パネルが前記非接続状態から接続状態に切り替えられたとき、本体制御部は、パネル検知部からの検知情報に基づいて、前記予め定める所定の通信機能設定情報を、前記最終的に入力された通信機能設定情報に切り替えるように構成されることを特徴とする請求項１に記載の通信装置。
【請求項９】
本体装置は、少なくとも通信情報および通信機能設定情報のいずれか１つを入力可能な本体操作部を備え、
接続部に対して表示パネルが非接続状態のとき、本体制御部は、前記本体操作部による通信情報および通信機能設定情報の入力を無効にすることを特徴とする請求項１に記載の通信装置。
【請求項１０】
本体装置は、少なくとも情報検索およびメール通信のいずれか１つが可能なファクシミリ装置として構成されることを特徴とする請求項１に記載の通信装置。
【発明の詳細な説明】
【０００１】
【発明の属する技術分野】
本発明は、通信装置に関し、たとえば、少なくとも情報検索およびメール通信のいずれか１つが可能なファクシミリ装置などに適用される通信装置に関する。
【０００２】
【従来の技術】
従来、一般的なファクシミリ装置においては、ファクシミリ機能の他に電話機能を有する。前記ファクシミリ装置は、留守モードが設定可能となっている。ファクシミリ装置の使用者は、たとえば本ファクシミリ装置の設置場所に不在のとき、留守モードを設定しておく。これによって電話の着信の場合には、発信者の用件が録音テープなどに記録される。ファクシミリの受信の場合には、自動受信によって記録紙にファクシミリ画像データが出力される。その後使用者は、記録された録音テープを再生して用件を確認するか、出力されたファクシミリ文を見てその内容を確認することができる。しかし使用者が不在の都度、留守モードを設定するのは、使用者にとって煩わしいという問題があった。
【０００３】
上述した問題を改善する通信装置が提案されている（たとえば特許文献１および特許文献２）。特許文献１によれば、通信装置本体に、携帯可能な受信専用のページャが着脱自在に構成されている。前記ページャはポケットベルと呼ばれる。このページャが通信装置本体から取り外されると、留守モードに設定される。使用者は、この取り外されたページャを携帯しておく。この通信装置に電話またはファクシミリなどの受信があれば、前記携帯しているページャに通知する。
【０００４】
特許文献２によれば、ファクシミリ装置において、携帯電話機が装置本体に着脱可能に設けられている。前記携帯電話機が装置本体から取り外されると、自動的に留守モードになる。留守モードの状態で着呼があると、発呼側に留守である旨の応答メッセージが送出される。
【０００５】
【特許文献１】
特開平９−５５８１３号公報
【特許文献２】
特開平１０−１２６５２６号公報
【０００６】
【発明が解決しようとする課題】
前述の特許文献１に記載の通信装置および特許文献２に記載のファクシミリ装置では、単に、ページャまたは携帯電話機を、通信装置またはファクシミリ装置に搭載するので、通信装置、ファクシミリ装置を大形化し、製作コストも高くなる。
【０００７】
また前述の通信装置およびファクシミリ装置の操作表示部は、装置本体から取り外し不可能である。それ故、たとえば操作表示部を装置本体から取り外し、使用者の所望の場所で、操作表示部に入力操作などの種々の設定操作を実行し、装置本体に前記設定操作を移植することはできない。つまり従来の通信装置およびファクシミリ装置においては、操作表示部を取り外して利用するときの利便性については、何ら記載されていない。
【０００８】
したがって本発明の目的は、装置を大形化することなく利便性の向上を図ることができる通信装置を提供することである。
【０００９】
【課題を解決するための手段】
本発明は、少なくとも通信情報および通信機能設定情報のいずれか１つを入力可能なパネル操作部と、通信情報および通信機能設定情報を表示可能な表示部と、パネル操作部および表示部を制御するパネル制御部とを有する表示パネルと、表示パネルを着脱可能に電気的かつ機械的に接続する接続部と、表示パネルが前記接続部に接続されたか否かを検知するパネル検知部と、回線を介して外部通信端末と通信する回線通信部と、パネル検知部からの検知情報に基づいて、最終的に入力された通信機能設定情報および、予め定める所定の通信機能設定情報のいずれか１つを選択的に用いる本体制御部とを有する本体装置とを備えることを特徴とする通信装置である。
【００１０】
本発明に従えば、表示パネルは、パネル操作部と表示部とパネル制御部とを有する。パネル操作部では、少なくとも通信情報および通信機能設定情報のいずれか１つを入力することができる。表示部には、通信情報および通信機能設定情報を表示することができる。パネル制御部は、パネル操作部および表示部を制御する。
【００１１】
本体装置は、接続部と、パネル検知部と、回線通信部と、本体制御部とを有する。前記接続部において、表示パネルを着脱可能に電気的かつ機械的に接続する。パネル検知部では、表示パネルが前記接続部に接続されたか否かを検知する。回線通信部では、回線を介して外部通信端末と通信する。本体制御部は、パネル検知部からの検知情報に基づいて、最終的に入力された通信機能設定情報および、予め定める所定の通信機能設定情報のいずれか１つを選択的に用いる。
【００１２】
特に、表示パネルを本体装置から取り外して、表示パネルおよび本体装置をそれぞれ利用することができるうえ、パネル検知部からの検知情報に基づいて、最終的に入力された通信機能設定情報および、予め定める所定の通信機能設定情報のいずれか１つを選択的に用いることができる。
【００１３】
それ故、たとえば外部通信端末からの着信があれば、接続部への表示パネルの着脱状態に応じて、所望の通信機能設定情報を選択的にかつ自動的に用いることができる。したがって、表示パネルを着脱する都度、通信機能設定情報を入力する手間を省くことができる。しかも、表示パネルを接続部に着脱可能に電気的かつ機械的に接続するので、装置を大形化することなく利便性の向上を図ることができる通信装置を実現することができる。
【００１４】
また本発明は、本体装置は、前記所定の通信機能設定情報を登録するための登録部をさらに備えることを特徴とする。
【００１５】
本発明に従えば、本体装置の登録部に、前記所定の通信機能設定情報を登録することができる。したがって本体制御部は、最終的に入力された通信機能設定情報を、登録部に登録された所定の通信機能設定情報に切り替え、前記所定の通信機能設定情報を用いることが可能となる。
【００１６】
また本発明は、パネル制御部は、予め定める所定の通信機能設定情報を更新可能に表示部に表示することを特徴とする。
【００１７】
本発明に従えば、パネル制御部は、予め定める所定の通信機能設定情報を更新可能に表示部に表示する。使用者は、前記表示部に表示された通信機能設定情報を目視しつつ所定の通信機能設定情報を更新することができる。
【００１８】
また本発明は、接続部に対して表示パネルが非接続状態のとき、本体制御部は、発信先の外部通信端末に応じて、音声を自動的に録音する留守録機能または画像データを自動的に記録手段に記録する記録手段受信機能のいずれか１つに切り替えることを特徴とする。
【００１９】
本発明に従えば、接続部に対して表示パネルが非接続状態のとき、本体制御部は、発信先の外部通信端末に応じて、音声を自動的に録音する留守録機能または画像データを自動的に記録手段に記録する記録手段受信機能のいずれか１つに切り替える。たとえば使用者が表示パネルを本体装置から取り外して携帯するか、または表示パネルを継続的に非接続状態にして使用する場合、本体制御部は、前述のように切り替え制御する。このように表示パネルを本体装置から取り外す都度、従来技術のような留守モードを設定する必要がなくなるので、通信装置の操作性を格段に向上することができる。
【００２０】
また本発明は、本体装置は本体側無線通信部をさらに備え、表示パネルは表示側無線通信部をさらに備え、
前記本体側無線通信部は、接続部に対して表示パネルが非接続状態で、発信先の外部通信端末からの着信があるとき、その着信情報を表示側無線通信部に無線通信することを特徴とする。
【００２１】
本発明に従えば、本体側無線通信部は、接続部に対して表示パネルが非接続状態で、発信先の外部通信端末からの着信があるとき、その着信情報を、表示パネルの表示側無線通信部に無線通信する。このように、表示パネルを本体装置から取り外した状態であっても、前記着信情報を表示側無線通信部に無線通信するので、たとえば使用者は、発信先の外部通信端末から着信があったことを、取り外した表示パネルで認識することができる。
【００２２】
また本発明は、表示パネルは、外部通信端末から着信される着信情報を取得する着信情報取得部をさらに備え、パネル制御部は、本体側無線通信部から無線送信された着信情報を、着信情報取得部によって報知することを特徴とする。
【００２３】
本発明に従えば、パネル制御部は、本体側無線通信部から無線送信された着信情報を、着信情報取得部によって報知する。たとえば表示パネルを本体装置から取り外した状態であっても、前記着信情報は報知されるので、使用者は、発信先の外部通信端末から着信があったことを、一層強く認識することができる。
【００２４】
また本発明は、着信情報は、発信元の外部通信端末から受信した電話番号、留守録音声情報、メールアドレス、ファクシミリ画像データ、およびメール受信データの少なくともいずれか１つを含むことを特徴とする。
【００２５】
本発明に従えば、本体側無線通信部は、これら電話番号、留守録音声情報、メールアドレス、ファクシミリ画像データ、およびメール受信データの少なくともいずれか１つを含む着信情報を、表示側無線通信部に無線通信することができる。
【００２６】
また本発明は、接続部に対して表示パネルが接続状態から非接続状態に切り替えられたとき、本体制御部は、パネル検知部からの検知情報に基づいて、最終的に入力された通信機能設定情報を、予め定める所定の通信機能設定情報に切り替えるように構成され、
接続部に対して表示パネルが前記非接続状態から接続状態に切り替えられたとき、本体制御部は、パネル検知部からの検知情報に基づいて、前記予め定める所定の通信機能設定情報を、前記最終的に入力された通信機能設定情報に切り替えるように構成されることを特徴とする。
【００２７】
本発明に従えば、接続部に対して表示パネルが接続状態から非接続状態に切り替えられたとき、本体制御部は、パネル検知部からの検知情報に基づいて、最終的に入力された通信機能設定情報を、予め定める所定の通信機能設定情報に切り替える。さらに、表示パネルが前記非接続状態から接続状態に切り替えられたとき、本体制御部は、パネル検知部からの検知情報に基づいて、前記予め定める所定の通信機能設定情報を、前記最終的に入力された通信機能設定情報に切り替える。このように、表示パネルを非接続状態から接続状態に切り替えるとき、使用者は、通信機能設定情報の切り替え操作をたとえば手動で行う必要がなくなる。換言すれば、通信装置の手動操作を極力省略することが可能となる。
【００２８】
また本発明は、本体装置は、少なくとも通信情報および通信機能設定情報のいずれか１つを入力可能な本体操作部を備え、
接続部に対して表示パネルが非接続状態のとき、本体制御部は、前記本体操作部による通信情報および通信機能設定情報の入力を無効にすることを特徴とする。
【００２９】
本発明に従えば、接続部に対して表示パネルが非接続状態のとき、本体制御部は、本体装置の本体操作部による通信機能設定情報の入力を無効にすることができる。換言すれば、表示パネルが本体装置から取り外されているとき、たとえば本体操作部に触れても、少なくとも通信機能設定情報の入力を無効にして、通信機能設定情報を不所望に変更するような誤作動を防止することができる。
【００３０】
また本発明は、本体装置は、少なくとも情報検索およびメール通信のいずれか１つが可能なファクシミリ装置として構成されることを特徴とする。
【００３１】
本発明に従えば、本体装置は前記ファクシミリ装置として構成され、少なくとも情報検索およびメール通信のいずれか１つを実行することができる。
【００３２】
【発明の実施の形態】
図１は、本発明の実施形態に係るファクシミリ装置１の外観を示す図であり、表示パネル２と本体装置３との関係を表す図である。図２は、ファクシミリ装置１の外観を表す図であり、（ａ）は、表示パネル２が本体装置３に取付けられた状態を表す図であり、（ｂ）は、表示パネル２が本体装置３から取り外された状態を表す図である。本実施形態では、通信装置を、エルモード（登録商標）機能電話機付きファクシミリ装置またはメール通信が可能なファクシミリ装置に適用した場合の一例を示す。
【００３３】
通信装置としてのファクシミリ装置１は、本体装置３と表示パネル２とを有する。本体装置３は、ケーシング４と、用紙搬送台５と、スキャナ６と、本体操作部７と、ハンドセット８と、本体側アンテナ９と、接続部としての本体側接続部１０とを有する。ケーシング４には、用紙搬送台５が付設されている。この用紙搬送台５の一部は、ケーシング４の一端縁部よりも用紙搬送方向一方にやや突出するようにケーシング４に付設されている。前記用紙搬送台５によって、後述するプリンタに記録用紙を搬送するか、またはスキャナ６に原稿用紙を搬送することが可能となる。
【００３４】
ケーシング４には、スキャナ６も付設されている。このスキャナ６の一端部は、ケーシング４の他端縁部よりも用紙搬送方向他方にやや突出するようにケーシング４に付設されている。このスキャナ６によって、ファクシミリ送信または複写するための原稿画像を読み取ることが可能となる。
【００３５】
本体操作部７は、ケーシング４の一表面部に配置され、各種データを入力するキー、各種機能の設定および解除を指示する設定および解除キー、留守録キー、およびファックス送信スタートキーとして機能する。この本体操作部７は、たとえば、複数のプッシュボタンキースイッチで構成される。前記各種データは、電話番号、発信元名、ユーザＩＤ（ＩＤ：Ｉｄｅｎｔｉｆｉｃａｔｉｏｎ）、メールアドレス、ＵＲＬ（ＵＲＬ：Ｕｎｉｆｏｒｍ  Ｒｅｓｏｕｒｃｅ  Ｌｏｃａｔｏｒ）などを含む。なおファクシミリ番号は前記電話番号に含まれる。
【００３６】
ハンドセット８は、ケーシング４の一表面部に支持され、本ファクシミリ装置１を電話機として通話するときに把持して利用する。本体側アンテナ９は、ケーシング４の一側端部に付設されている。この本体側アンテナ９は、後述する本体側無線通信部に電気的に接続されている。
【００３７】
前記ケーシング４の一表面部には、凹部４ａが形成されている。この凹部４ａは、用紙搬送方向に直交する用紙厚み方向に凹設されている。前記凹部４ａは、表示パネル２の厚みと略同一厚さ分凹設されるとともに、用紙厚み方向から見て略矩形状に凹設される。本実施形態において、「略矩形状」は「矩形状」を含む。この凹部４ａの一表面部に、接続部としての本体側接続部１０が形成されている。つまりこの本体側接続部１０によって、本体装置３の一表面部に表示パネル２が着脱可能に電気的かつ機械的に接続される。
【００３８】
表示パネル２は、パネル本体１１と、表示部１２と、パネル操作部１３と、パネル側接続部１４とを有する。パネル本体１１は、凹部４ａに嵌合可能に略直方体形状に形成される。本実施形態において、「略直方体形状」は「直方体形状」を含む。表示部１２は、パネル本体１１の一表面部に形成され、かつ、入力または受信した通信情報、設定された通信機能設定情報を表示する。受信した通信情報が、着信情報に相当する。前記表示部１２は、たとえば、液晶ディスプレイ、プラズマディスプレイ、およびＥＬディスプレイ（ＥＬ：Ｅｌｅｃｔｒｏ  Ｌｕｍｉｎｅｓｃｅｎｃｅ）のいずれか１つで構成される。
【００３９】
パネル操作部１３は、パネル本体１１の一表面部に配設つまり配置されて設けられている。前記パネル操作部１３は、たとえば複数のプッシュボタンキースイッチで構成される。このパネル操作部１３によって、各種通信情報を入力することができるうえ、各種通信機能設定情報を入力することができる。
【００４０】
パネル本体１１のうち前記一表面部の背面側の一表面部には、パネル側接続部１４が形成されている。このパネル側接続部１４は、本体装置３の本体側接続部１０に接続可能に構成される。つまり、パネル側接続部１４および本体側接続部１０によって、表示パネル２は本体装置３に着脱可能に構成される。
【００４１】
図３は、ファクシミリ装置１の制御系のブロック図である。ファクシミリ装置１は、本体装置３と表示パネル２とを有する。本体装置３は、本体制御部１５、本体側ＲＯＭ１６（ＲＯＭ：Ｒｅａｄ  Ｏｎｌｙ  Ｍｅｍｏｒｙ）、本体側ＲＡＭ１７（ＲＡＭ：Ｒａｎｄｏｍ  Ａｃｃｅｓｓ  Ｍｅｍｏｒｙ）、登録部１８、画像メモリ１９、本体操作部７、回線通信部２０、音声再生部２１、音声メモリ２２、ハンドセット８、スキャナ６、プリンタ２３、本体側接続部１０、パネル検知部２４、充電部２５、本体側無線通信部２６、本体側アンテナ９、およびバス２７を有する。
【００４２】
前記本体制御部１５は、たとえばコンピュータの中央演算処理ユニット（ＣＰＵ：Ｃｅｎｔｒａｌ  Ｐｒｏｃｅｓｓｉｎｇ  Ｕｎｉｔ）またはＭＰＵ（ＭＰＵ：Ｍｉｃｒｏ  Ｐｒｏｃｅｓｓｉｎｇ  Ｕｎｉｔ）で構成され、バス２７を介して本体側ＲＯＭ１６に記憶されている制御プログラムを実行する。これによって、ファクシミリ装置１全体を制御するとともに、通信機能を制御する。
【００４３】
本体側ＲＯＭ１６は、たとえばＰＲＯＭ（ＰＲＯＭ：Ｐｒｏｇｒａｍｍａｂｌｅ  Ｒｅａｄ  ＯｎｌｙＭｅｍｏｒｙ）、ＥＥＰＲＯＭ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの半導体記憶装置で構成されている。前記本体側ＲＯＭ１６は、本体制御部１５がファクシミリ装置１全体を制御するための制御プログラムを記憶している。本体側ＲＡＭ１７は、たとえばＤＲＡＭ（ＤＲＡＭ：Ｄｙｎａｍｉｃ  Ｒａｎｄｏｍ  Ａｃｃｅｓｓ  Ｍｅｍｏｒｙ）、ＥＥＰＲＯＭなどの半導体記憶装置で構成されている。前記本体側ＲＡＭ１７は、本体制御部１５がファクシミリ装置１全体を制御する際の入出力データを一時記憶する。
【００４４】
登録部１８は、たとえばＤＲＡＭ、ＥＥＰＲＯＭなどの半導体記憶装置で構成されている。前記登録部１８は、初期登録データおよび設定されたデータを記憶する。本実施形態において、登録部１８は独立して設けられているが、必ずしもこの構成に限定されるものではない。たとえば本体側ＲＡＭ１７が登録部１８を含む構成にすることも可能である。
【００４５】
画像メモリ１９は、たとえばＤＲＡＭ、ＥＥＰＲＯＭなどの半導体記憶装置で構成されている。前記画像メモリ１９は、スキャナ６で読み込んだ画像データおよびファクシミリ受信した画像データを記憶する。本実施形態において、画像メモリ１９は独立して設けられているが、必ずしもこの構成に限定されるものではない。たとえば本体側ＲＡＭ１７が画像メモリ１９を含む構成にすることも可能である。
【００４６】
回線通信部２０は、たとえば、モデム２９と網制御ユニット３０（ＮＣＵ：Ｎｅｔｗｏｒｋ  Ｃｏｎｔｒｏｌ  Ｕｎｉｔ）とで構成される。前記回線通信部２０は、回線を介して外部通信端末と通信する。音声再生部２１は、たとえば、Ｄ／Ａ変換回路（Ｄ：Ｄｉｇｉｔａｌ／Ａ：Ａｎａｌｏｇ）、スピーカなどで構成される。前記音声再生部２１は、電話機の音声信号または音声メモリに記憶した音声データを音声に再生して送出する。音声メモリ２２は、たとえばＤＲＡＭ、ＥＥＰＲＯＭなどの半導体記憶装置で構成されている。前記音声メモリ２２は、留守録音した音声信号、予め作成された応答メッセージの音声データを記憶し、音声再生部２１に出力する。
【００４７】
ハンドセット８は、たとえばマイクロフォンおよびスピーカなどで構成される。このハンドセット８を把持して前記マイクロフォンを使用者の口に近づけるとともに、前記スポーカを使用者の耳に近づけた状態で、外部通信端末と通話することが可能となる。スキャナ６は、たとえばＣＣＤセンサ（ＣＣＤ：Ｃｈａｒｇｅ  Ｃｏｕｐｌｅｄ  Ｄｅｖｉｃｅ）で構成され、ファクシミリ送信または複写するための原稿画像を読み取る。プリンタ２３は、たとえば、画像データを印刷するインクジェット式プリンタまたは感熱式プリンタで構成される。
【００４８】
本体側接続部１０は、たとえば、コネクタおよびジャックなどで構成されている。前記本体側接続部１０は、後述する制御線を電気的に接続する。前記制御線は、電圧供給線および本体制御部１５と、パネル制御部３１との間で制御信号を入出力する。前記電圧供給線は、充電部２５からバッテリ３２に電圧を供給するためのものである。
【００４９】
パネル検知部２４は、たとえば、インタフェース回路で構成される。前記パネル検知部２４は、パネル制御部３１からの制御信号を安定して本体制御部１５に入力するとともに、本体制御部１５からの制御信号を安定してパネル制御部３１に入力する。このパネル検知部２４に入力される制御信号によって、表示パネル２が本体装置３に接続されているか否かが、本体制御部１５で判断される。
【００５０】
充電部２５は、たとえばスイッチング回路３３および電圧検知回路３４などで構成される。前記充電部２５は、表示パネル２のバッテリ３２の電圧値が設定値より低下したとき、設定電圧になるまで充電するように構成されている。本実施形態においては、充電部２５は本体装置３に含まれているが、必ずしもこの構成に限定されるものではない。たとえば充電部が表示パネル２に含まれる構成にすることも可能である。本体側無線通信部２６は、たとえば、Ｂｌｕｅｔｏｏｔｈ（登録商標）電波を送受信する無線通信回路などで構成される。前記本体側無線通信部２６は、本体側アンテナ９を介して、表示パネル２の表示側無線通信部であるパネル側無線通信部２８と無線通信する。
【００５１】
表示パネル２は、たとえば、パネル制御部３１、パネル側ＲＯＭ３５（ＲＯＭ：Ｒｅａｄ  Ｏｎｌｙ  Ｍｅｍｏｒｙ）、パネル側ＲＡＭ３６（ＲＡＭ：Ｒａｎｄｏｍ  Ａｃｃｅｓｓ  Ｍｅｍｏｒｙ）、音発生部３７、表示部１２、パネル操作部１３、パネル側接続部１４、本体検知部３８、バッテリ３２、パネル側無線通信部２８、パネル側アンテナ３９、およびバス４０を有する。
【００５２】
パネル制御部３１は、たとえば、コンピュータのＣＰＵまたはＭＰＵで構成され、バス４０を介してパネル側ＲＯＭ３５に記憶されている制御プログラムを実行する。これによって、表示パネル２全体を制御する。パネル側ＲＯＭ３５は、たとえばＰＲＯＭ、ＥＥＰＲＯＭなどの半導体記憶装置で構成されている。前記パネル側ＲＯＭ３５は、パネル制御部３１が表示パネル２全体を制御するための制御プログラムを記憶している。
【００５３】
パネル側ＲＡＭ３６は、たとえばＤＲＡＭ、ＥＥＰＲＯＭなどの半導体記憶装置で構成されている。前記パネル側ＲＡＭ３６は、パネル制御部３１がファクシミリ装置１全体を制御する際の入出力データを一時記憶する。着信情報取得部としての音発生部３７は、たとえば、Ｄ／Ａ変換回路、ブザー、およびスピーカなどで構成される。前記音発生部３７は、本体制御部１５から送信された制御信号および音声データを音に変換して送出する。
【００５４】
パネル操作部１３は、パネル制御部３１の制御によって、表示部１２の表示画面に各種登録項目を表示する。前記パネル操作部１３は、表示した各種登録項目を登録するか、または解除する登録ボタンキーまたは解除ボタンキーとして機能する。パネル側接続部１４は、たとえば、コネクタおよびプラグなどで構成される。前記パネル側接続部１４は、電圧供給線および本体制御部１５と、パネル制御部３１との間で制御信号を入出力する制御信号線を電気的に接続する。
【００５５】
本体検知部３８は、たとえば、インタフェース回路で構成される。前記本体検知部３８は、本体制御部１５とパネル制御部３１との間で制御信号を安定して入出力する。表示パネル２が本体装置３から取り外された状態では、本体検知部３８に本体制御部１５からの制御信号が入力されないことによって、パネル制御部３１においても、表示パネル２が本体装置３から取り外されていると判断している。バッテリ３２は、充電可能なニッカド電池ＢＴなどで構成されている。
【００５６】
パネル側無線通信部２８は、たとえば、Ｂｌｕｅｔｏｏｔｈ（登録商標）電波を送受信する無線通信回路などで構成される。前記パネル側無線通信部２８は、パネル側アンテナ３９を介して、本体装置３の本体側無線通信部２６と無線通信する。
【００５７】
図４は、本体装置３と表示パネル２との電気的な接続構成を示すブロック図である。表示パネル２と本体装置３とは、パネル側接続部１４および本体側接続部１０を介して着脱可能に接続されている。前記パネル側接続部１４は、パネル側コネクタという場合もある。前記本体側接続部１０は、本体側コネクタという場合もある。
【００５８】
本体装置３のパネル検知部２４は、本体側接続部１０およびパネル側接続部１４を介して表示パネル２の本体検知部３８に電気的に接続されている。パネル検知部２４および本体検知部３８は、インタフェース回路から構成されている。前記インタフェース回路は、バッファ回路Ｂ１，Ｂ２，Ｂ３，Ｂ４と固定抵抗器Ｒ１，Ｒ２，Ｒ５，Ｒ６とから成る。
【００５９】
本体制御部１５とパネル制御部３１とは、たとえば、制御信号線ｄ１−ｄ２，ｅ１−ｅ２およびパネル検知部２４、本体検知部３８を介して接続されている。本体制御部１５は、本体側ＣＰＵという場合がある。パネル制御部３１は、パネル側ＣＰＵという場合がある。本体制御部１５からの制御信号であるシリアル信号は、バッファ回路Ｂ１，Ｂ３を介して、パネル制御部３１に入力される。一方、パネル制御部３１からの制御信号であるシリアル信号は、バッファ回路Ｂ４，Ｂ２を介して、本体制御部１５に入力される。
【００６０】
本体制御部１５とパネル制御部３１とは、前述の制御信号に基づいて互いに制御データおよび制御コマンドを転送するとともに、表示パネル２が本体装置３に着脱している状態を検知する。ここで充電部２５は、たとえば、スイッチング回路３３、電圧検知回路３４およびダイオードＤ１，Ｄ２などで構成されている。
【００６１】
表示パネル２のバッテリ３２は、たとえば、パネル制御部３１に所定の電圧Ｖｃｃを供給するためのＤＣ−ＤＣコンバータ４１、充電可能なニッカド電池ＢＴ、および固定抵抗器Ｒ３，Ｒ４から成る電圧発生回路ＶＢなどで構成されている。本体装置３の充電部２５とバッテリ３２とは、たとえば、電圧供給線ａ１−ａ２，ｂ１−ｂ２および共通接地ＧＮＤのｃ１−ｃ２を介して電気的に接続され、表示パネル２のバッテリ３２の電圧値が設定値より低下したとき、設定電圧になるまで充電するように構成されている。前記バッテリ３２の電圧値は、電圧発生回路ＶＢの分割電圧と同義である。スイッチング回路３３に供給する電圧ＶＤＤは、本体制御部１５に供給する電圧Ｖｃｃより少し高い電圧である。
【００６２】
図５および図６は、ファクシミリ装置１による通信機能の制御手順を段階的に示すフローチャートである。図５および図６においてＳｉ（ｉ＝１，２，３，・・・）はステップを示す。図５および図６においては、通信機能設定情報を、単に、通信機能と表記している。図１〜図３も参照し、特に、表示パネル２が本体装置３に着脱したときの本体制御部１５の通信制御について説明する。
【００６３】
ファクシミリ装置１の図示外の主電源をオンにしたとき、本フローが開始される。ステップ１において、本体制御部１５は、パネル検知部２４の検知結果に基づいて、表示パネル２のパネル側接続部１４が本体装置３の本体側接続部１０に接続されているか否かを判断する。ステップ１で、前記パネル側接続部１４が本体側接続部１０に接続されていると判断されると、ステップ２に移行する。
【００６４】
ステップ２において、本体制御部１５は、パネル操作部１３からの入力操作によって、パネル側接続部１４が本体側接続部１０から取り外されたときの通信機能設定情報の入力つまり登録か否かを判断する。このステップ２で、前記通信機能設定情報の登録であると判断されると、ステップ３に移行する。ステップ３において、パネル制御部３１は、本体制御部１５の制御に基づいて、パネル側接続部１４が本体側接続部１０から取り外されたときに、外部通信端末からの着信処理を自動設定するための複数種類の通信機能設定情報を表示部に表示する（図７参照）。前記通信機能設定情報が、予め定める所定の通信機能設定情報に相当する。
【００６５】
次に、ステップ４に移行し、本体制御部１５は、パネル制御部３１の制御を介して、パネル操作部１３による入力結果から通信機能設定情報が選択されたか否かを判断する。このステップ４で、前記通信機能設定情報が選択されたと判断されると、ステップ５に移行する。ステップ５において、本体制御部１５は、パネル制御部３１の制御を介して、選択された通信機能設定情報を本体側ＲＡＭ１７に記憶する。次にステップ６において、本体制御部１５は、回線通信部２０に外部通信端末からの着信があったか否かを判断する。
【００６６】
前記ステップ６で、外部通信端末からの着信があったと判断されると、ステップ７に移行する。ステップ７において、本体制御部１５は、本体操作部１５から入力される通信機能設定情報であって最終的に入力される通信機能設定情報、または予め設定された所定の通信機能設定情報に基づいて、外部通信端末からの着信を処理し、その後、本体制御部１５の通信制御を終了する。
【００６７】
ステップ１で、パネル側接続部１４が本体側接続部１０に接続されていないと判断されると、ステップ１０に移行する。ステップ２で、通信機能設定情報の登録ではないと判断されると、ステップ６に移行する。ステップ４で通信機能設定情報が選択されていないと判断されると、ステップ３に戻る。
【００６８】
ステップ６で、外部通信端末からの着信がなかったと判断されると、ステップ８に移行する。このステップ８において、本体制御部１５は、本体操作部７の入力結果から外部通信端末への送信か否かを判断する。ステップ８で、外部通信端末への通信情報の送信であると判断されると、ステップ９に移行する。
【００６９】
このステップ９において、本体制御部１５は、本体操作部７から入力される通信機能、または予め設定された通信機能に基づいて、外部通信端末への送信情報を送信し、本体制御部１５への通信制御を終了する。前記ステップ８で、外部通信端末への通信情報の送信ではないと判断されると、ステップ１に戻る。
【００７０】
ステップ１０において、本体制御部１５は、本体操作部７の入力動作を無効にする。ここで、表示パネル２のパネル側接続部１４が、本体装置３の本体側接続部１０から取り外される前の通信機能設定情報を記憶しておく。次に、ステップ１１に移行して、本体制御部１５は、回線通信部２０に外部通信端末からの着信があったか否かを判断する。このステップ１１で、前記外部通信端末からの着信があったと判断されると、ステップ１２に移行する。
【００７１】
ステップ１２では、本体制御部１５は、電話番号の着信か否かを判断する。電話番号の着信ならばステップ１３に移行する。ステップ１３において、本体制御部１５は、音声を自動的に録音する留守録機能に設定するとともに、回線通信部２０を介して、発信元の外部通信端末に留守である旨の留守メッセージを送信する。次に、ステップ１４において、本体制御部１５は、本体側無線通信部２６を介して、パネル側無線通信部２８に電話番号の着信情報を送信する。前記着信情報は、電話番号の着信時刻、発信元番号、発信元名などと同義である。
【００７２】
次にステップ１５において、発信元から電話メッセージがあれば、本体制御部１５は、留守録機能として、発信元の電話メッセージを本体側ＲＡＭ１７または音声メモリ２２に記憶する。その後本体制御部１５は、ステップ１６において、発信元の電話メッセージの送信が終了したか否かを判断する。このステップ１６で、発信元の電話メッセージの送信が終了したと判断されると、ステップ１７に移行する。
【００７３】
ステップ１７において、本体制御部１５は、本体側無線通信部２６を介して、パネル側無線通信部２８に留守録が終了した旨の終了信号を送信する。その後、ステップ１８に移行する。前記ステップ１８では、本体制御部１５は、パネル検知部２４の検知結果に基づいて、表示パネル２が本体装置３に再接続されたか否かを判断する。表示パネル２が本体装置３に再接続されたと判断されると、ステップ１９に移行する。
【００７４】
ステップ１９において、本体制御部１５は、本体操作部７の入力動作を有効にする。次に、ステップ２０において、本体制御部１５は、パネル側接続部１４が本体側接続部１０から取り外される前の通信機能設定情報に設定し、パネル側接続部１４が本体側接続部１０に着脱したときの本体制御部１５の通信制御を終了する。前記通信機能設定情報は、最終的に入力された通信機能設定情報と同義である。
【００７５】
前記ステップ１１において、外部通信端末からの着信がないと判断されると、ステップ２１に移行する。このステップ２１において、本体制御部１５は、パネル側無線通信部２８から送信された指示情報であるか否かを判断する。本ステップで前記指示情報であると判断されると、ステップ２２に移行する。前記指示情報ではないと判断されると、ステップ１０に戻る。前記ステップ２２において、本体制御部１５は、その指示情報に基づいて通信制御を行う。その後、ステップ１８に移行する。
【００７６】
前記ステップ１６において、発信元の電話メッセージの送信が終了していないと判断されると、ステップ１５に戻る。ステップ１８において、表示パネル１２が本体装置３に再接続されていないと判断されると、ステップ１０に戻る。ステップ１２で電話番号の着信ではないと判断されると、ステップ２３に移行する。
【００７７】
ステップ２３において、本体制御部１５は、ファックス信号の着信として処理する。次にステップ２４に移行し、ファクシミリ文を含むファクシミリ画像データを本体側ＲＡＭ１７に一時記憶するメモリ受信機能に予め登録されていたか否かを判断する。このステップ２４で、前記メモリ受信機能に予め登録されていたと判断されると、ステップ２５に移行する。
【００７８】
ステップ２５において、本体制御部１５は、本体側無線通信部２６を介して、パネル側無線通信部２８にファクシミリ信号の着信情報を送信する。前記着信情報は、ファクシミリ信号の着信時刻、発信元番号、発信元名、およびメモリ受信する旨などを含む。次にステップ２６において、本体制御部１５は、メモリ受信機能（記録手段受信機能）として、受信した発信元のファクシミリ画像データを本体側ＲＡＭ１７に一時記憶する。
【００７９】
次にステップ２７に移行し、本体制御部１５は、発信元のファクシミリ画像データの送信が終了したか否かを判断する。前記ファクシミリ画像データの送信が終了したと判断されると、ステップ２８に移行する。ファクシミリ画像データの送信が終了していないと判断されると、ステップ２６に戻る。ステップ２８では、本体制御部１５は、本体側無線通信部２６を介して、パネル側無線通信部２８にファクシミリ画像データのメモリ受信が終了した旨の終了情報を送信する。その後、ステップ１８に移行する。受信したファクシミリ画像データが終了情報に含まれているので、使用者が本体装置３から離れた場所に居ても、受信したファクシミリ画像データの内容を直ぐに確認することができる。
【００８０】
前記ステップ２４において、メモリ受信機能に登録されていないと判断されると、ステップ２９に移行する。このステップ２９において、受信したファクシミリ画像データをプリンタ２３によって直接印刷出力する記録紙受信機能に設定する。次に、ステップ３０において、本体制御部１５は、本体側無線通信部２６を介して、パネル側無線通信部２８にファックス信号の着信情報を送信する。前記着信情報は、ファクシミリ信号の着信時刻、発信元番号、発信元名、および記録紙受信する旨などを含む。
【００８１】
次に、ステップ３１において、本体制御部１５は、記録紙受信機能（記録手段受信機能）として、受信したファクシミリ画像データをプリンタ２３によって直接印刷出力する。次に、ステップ３２に移行し、本体制御部１５は、発信元のファクシミリ画像データの送信が終了したか否かを判断する。前記ファクシミリ画像データの送信が終了したと判断されると、ステップ３３に移行する。前記記録紙または本体側ＲＡＭ１７が、記録手段に相当する。
【００８２】
ステップ３３において、本体制御部１５は、本体側無線通信部２６を介して、パネル側無線通信部２８にファクシミリ画像データの受信（たとえば記録紙受信）が終了した旨の終了信号を送信する。その後、ステップ１８に移行する。前記ステップ３２でファクシミリ画像データの送信が終了していないと判断されると、ステップ３１に戻る。本実施形態においては、表示パネル２のバッテリ３２の消耗、ファクシミリ着信画像データのメモリ受信時のメモリオーバー、および記録受信時のインクリボン切れ、記録紙切れなどによるエラー処理についての説明を省略する。
【００８３】
図７は、表示パネル２の表示画面を用いた通信機能の登録手順を段階的に示す図である。図７（Ａ）には、パネル操作部１３の登録ボタンを操作したときの表示部１２の表示画面に表示された登録項目が示されている。たとえば、表示画面に、１）の通信機能の初期登録、２）のハンドセット８の音量調節、３）の表示パネル呼出音量調節などの登録項目が表示される。
【００８４】
図７（Ｂ）には、図７（Ａ）に示す登録項目において、パネル操作部１３の登録ボタンによって通信機能の初期登録を選択したときの初期登録項目が示されている。たとえば、表示部１２の表示画面に、１）の日付・時刻、２）の発信元番号、３）の発信元名、４）の非接続時の着信機能などの登録項目が表示される。前記発信元番号は、電話番号、およびメールアドレスを含む。ファクシミリ番号は前記電話番号に含まれる。前記非接続時の着信機能とは、表示パネル２が本体装置３と非接続状態になっているときの着信機能と同義である。
【００８５】
図７（Ｃ）には、図７（Ｂ）に示す登録項目において、パネル操作部１３の登録ボタンによって、たとえば４）の非接続時の着信機能を選択したときの初期登録項目が示されている。たとえば、表示部１２の表示画面に、１）の留守録電話機能、２）のメモリ受信機能、３）の記録紙受信機能などの登録項目が表示されている。
【００８６】
図７（Ｄ）には、図７（Ｃ）に示す非接続時の着信機能登録項目において、たとえば、パネル操作部１３の登録ボタンによって、１）の留守録電話機能および２）のメモリ受信機能、または３）の記録紙受信機能の各登録項目を選択したとき、それらの登録項目が本体側ＲＡＭ１７に登録されたことが示されている。前述の登録手順によって、表示パネル２のパネル側接続部１４が、本体装置３の本体側接続部１０から取り外されているときに、外部通信端末から着信があったとき、着信内容を判断して、現状設定されている通信機能を、予め初期登録された通信機能に切り替えて処理することができる。
【００８７】
以上説明したファクシミリ装置１によれば、特に、表示パネル２を本体装置３から取り外して、表示パネル２および本体装置３をそれぞれ利用することができるうえ、パネル検知部２４からの検知情報に基づいて、最終的に入力されたつまり現状設定されている通信機能設定情報および、予め定める所定の通信機能設定情報のいずれか１つを選択的に用いることができる。
【００８８】
それ故、たとえば外部通信端末からの着信があれば、本体側接続部１０への表示パネル２の着脱状態に応じて、所望の通信機能設定情報を選択的にかつ自動的に用いることができる。したがって、表示パネル２を着脱する都度、通信機能設定情報を入力する手間を省くことができる。しかも、表示パネル２を本体側接続部１０に着脱可能に電気的かつ機械的に接続するので、装置を大形化することなく利便性の向上を図ることができるファクシミリ装置１を実現し得る。
【００８９】
本体装置３は、予め定める所定の通信機能設定情報を登録するための登録部１８を備えているので、本体制御部１５は、最終的に入力された通信機能設定情報を、登録部１８に登録された所定の通信機能設定情報に切り替え、前記所定の通信機能設定情報を用いることが可能となる。
【００９０】
パネル制御部３１は、予め定める所定の通信機能設定情報を更新可能に表示部１２に表示する。使用者は、表示部１２に表示された通信機能設定情報を目視しつつ所定の通信機能設定情報を更新することができる。使用者は、たとえば表示パネル２を本体装置３から取り外したうえで、所望の場所で所定の通信機能設定情報を更新することもできる。
【００９１】
本体側接続部１０に対して表示パネル２が非接続状態のとき、本体制御部１５は、発信先の外部通信端末に応じて、音声を自動的に録音する留守録機能または画像データを自動的に記録手段に記録する記録手段受信機能のいずれか１つに切り替える。たとえば使用者が表示パネル２を本体装置３から取り外して携帯するか、または表示パネル２を継続的に非接続状態にして使用する場合、本体制御部１５は、前述のように切り替え制御する。このように表示パネル２を本体装置３から取り外す都度、従来技術のような留守モードを設定する必要がなくなるので、ファクシミリ装置１の操作性を格段に向上することができる。
【００９２】
本体側無線通信部２６は、本体側接続部１０に対して表示パネル２が非接続状態で、発信先の外部通信端末からの着信があるとき、その着信情報をパネル側無線通信部２８に無線通信する。このように、表示パネル２を本体装置３から取り外した状態であっても、前記着信情報をパネル側無線通信部２８に無線通信するので、たとえば使用者は、発信先の外部通信端末から着信があったことを、取り外した表示パネル２で確認することができる。
【００９３】
また表示パネル２は、着信情報を報知する音発生部３７を備え、パネル制御部３１は、本体側無線通信部２６から無線送信された着信情報を、音発生部３７によって報知する。たとえば表示パネル２を本体装置３から取り外した状態であっても、前記着信情報は報知されるので、使用者は、発信先の外部通信端末から着信があったことを、一層強く確認することができる。
【００９４】
着信情報は、発信元の外部通信端末から受信した電話番号、留守録音声情報、メールアドレス、ファクシミリ画像データ、およびメール受信データの少なくともいずれか１つを含んでいるので、本体側無線通信部２６は、これら着信情報をパネル側無線通信部２８に無線通信することができる。本実施形態において、発信元の外部通信端末には、交換機から受信する「ナンバーディスプレイ」による情報も含まれる。前記「ナンバーディスプレイ」は、かけてきた相手の電話番号が電話にでる前に表示部１２などに表示されるサービスである。
【００９５】
充電部２５は、表示パネル２のバッテリ３２の電圧値が設定値より低下したとき、設定電圧になるまで充電するように構成されている。換言すれば、本体装置３は充電部２５を備え、前記充電部２５は、表示パネル２が本体側接続部１０に接続されたとき、表示パネル２に搭載されたバッテリ３２を充電するように構成されている。この構成によれば、本体装置３から取り外して利用する表示パネル２を起動するためのバッテリ３２を充電する充電ボックスおよび充電スイッチなどを削減することができる。それ故、ファクシミリ装置１の製作コストの低減を図ることが可能となる。
【００９６】
本体側接続部１０に対して表示パネル２が接続状態から非接続状態に切り替えられたとき、本体制御部１５は、パネル検知部２４からの検知情報に基づいて、最終的に入力された通信機能設定情報を、予め定める所定の通信機能設定情報に切り替える。さらに、表示パネル２が前記非接続状態から接続状態に切り替えられたとき、本体制御部１５は、パネル検知部２４からの検知情報に基づいて、前記予め定める所定の通信機能設定情報を、前記最終的に入力された通信機能設定情報に切り替える。このように、表示パネル２を非接続状態から接続状態に切り替えるとき、使用者は、通話機能設定情報の切り替え操作をたとえば手動で行う必要がなくなる。換言すれば、ファクシミリ装置１の手動操作を極力省略することが可能となる。
【００９７】
本体装置３は本体操作部７を備え、本体側接続部１０に対して表示パネル２が非接続状態のとき、本体制御部１５は、前記本体操作部７による通信機能設定情報の入力を無効にすることができる。換言すれば、表示パネル２が本体装置３から取り外されているとき、たとえば本体操作部７に触れても、少なくとも通信機能設定情報の入力を無効にして、通信機能設定情報を不所望に変更するような誤作動を防止することができる。逆に言えば、表示パネル２が本体装置３に取り付けられているときには、本体操作部７による通信機能設定情報の入力を有効にすることができる。
【００９８】
本発明の実施の他の形態として、着信情報取得部は、必ずしも音発生部３７に限定されるものではない。たとえばランプを用いて着信情報を報知させる構成であってもよい。またアクチュエータによって表示パネル自体を振動させ、着信情報を報知させる構成であってもよい。
【００９９】
パネル操作部は、たとえば表示部内に配設されるタッチパネル形式であってもよい。その他、前記実施形態に、特許請求の範囲を逸脱しない範囲において種々の部分的変更を行う場合もある。
【０１００】
【発明の効果】
以上のように本発明によれば、特に、表示パネルを本体装置から取り外して、表示パネルおよび本体装置をそれぞれ利用することができるうえ、パネル検知部からの検知情報に基づいて、最終的に入力された通信機能設定情報および、予め定める所定の通信機能設定情報のいずれか１つを選択的に用いることができる。
【０１０１】
それ故、たとえば外部通信端末からの着信があれば、接続部への表示パネルの着脱状態に応じて、所望の通信機能設定情報を選択的にかつ自動的に用いることができる。したがって、表示パネルを着脱する都度、通信機能設定情報を入力する手間を省くことができる。しかも、表示パネルを接続部に着脱可能に電気的かつ機械的に接続するので、装置を大形化することなく利便性の向上を図ることができる通信装置を実現することができる。
【０１０２】
また本発明によれば、本体装置の登録部に、所定の通信機能設定情報を登録することができる。したがって本体制御部は、最終的に入力された通信機能設定情報を、登録部に登録された所定の通信機能設定情報に切り替え、所定の通信機能設定情報を用いることが可能となる。
【０１０３】
また本発明によれば、パネル制御部は、予め定める所定の通信機能設定情報を更新可能に表示部に表示する。使用者は、前記表示部に表示された通信機能設定情報を目視しつつ所定の通信機能設定情報を更新することができる。使用者は、たとえば表示パネルを本体装置から取り外したうえで、所望の場所で前記通信機能設定情報を更新することもできる。
【０１０４】
また本発明によれば、接続部に対して表示パネルが非接続状態のとき、本体制御部は、発信先の外部通信端末に応じて、音声を自動的に録音する留守録機能または画像データを自動的に記録手段に記録する記録手段受信機能のいずれか１つに切り替える。たとえば使用者が表示パネルを本体装置から取り外して携帯するか、または表示パネルを継続的に非接続状態にして使用する場合、本体制御部は、前述のように切り替え制御する。このように表示パネルを本体装置から取り外す都度、従来技術のような留守モードを設定する必要がなくなるので、通信装置の操作性を格段に向上することができる。
【０１０５】
また本発明によれば、本体側無線通信部は、接続部に対して表示パネルが非接続状態で、発信先の外部通信端末からの着信があるとき、その着信情報を、表示パネルの表示側無線通信部に無線通信する。このように、表示パネルを本体装置から取り外した状態であっても、前記着信情報を表示側無線通信部に無線通信するので、たとえば使用者は、発信先の外部通信端末から着信があったことを、取り外した表示パネルで認識することができる。
【０１０６】
また本発明によれば、パネル制御部は、本体側無線通信部から無線送信された着信情報を、着信情報取得部によって報知する。たとえば表示パネルを本体装置から取り外した状態であっても、前記着信情報は報知されるので、使用者は、発信先の外部通信端末から着信があったことを、一層強く認識することができる。
【０１０７】
また本発明によれば、本体側無線通信部は、電話番号、留守録音声情報、メールアドレス、ファクシミリ画像データ、およびメール受信データの少なくともいずれか１つを含む着信情報を表示側無線通信部に無線通信することができる。
【０１０８】
また本発明によれば、接続部に対して表示パネルが接続状態から非接続状態に切り替えられたとき、本体制御部は、パネル検知部からの検知情報に基づいて、最終的に入力された通信機能設定情報を、予め定める所定の通信機能設定情報に切り替える。さらに、表示パネルが前記非接続状態から接続状態に切り替えられたとき、本体制御部は、パネル検知部からの検知情報に基づいて、前記予め定める所定の通信機能設定情報を、前記最終的に入力された通信機能設定情報に切り替える。このように、表示パネルを非接続状態から接続状態に切り替えるとき、使用者は、通信機能設定情報の切り替え操作をたとえば手動で行う必要がなくなる。換言すれば、通信装置の手動操作を極力省略することが可能となる。
【０１０９】
また本発明によれば、接続部に対して表示パネルが非接続状態のとき、本体制御部は、本体装置の本体操作部による通信機能設定情報の入力を無効にすることができる。換言すれば、表示パネルが本体装置から取り外されているとき、たとえば本体操作部に触れても、少なくとも通信機能設定情報の入力を無効にして、通信機能設定情報を不所望に変更するような誤作動を防止することができる。
【０１１０】
また本発明によれば、本体装置はファクシミリ装置として構成され、少なくとも情報検索およびメール通信のいずれか１つを実行することができる。
【図面の簡単な説明】
【図１】本発明の実施形態に係るファクシミリ装置１の外観を示す図であり、表示パネル２と本体装置３との関係を表す図である。
【図２】ファクシミリ装置１の外観を表す図であり、（ａ）は、表示パネル２が本体装置３に取付けられた状態を表す図であり、（ｂ）は、表示パネル２が本体装置３から取り外された状態を表す図である。
【図３】ファクシミリ装置１の制御系のブロック図である。
【図４】本体装置３と表示パネル２との電気的な接続構成を示すブロック図である。
【図５】ファクシミリ装置１による通信機能の制御手順を段階的に示すフローチャートである。
【図６】ファクシミリ装置１による通信機能の制御手順を段階的に示すフローチャートである。
【図７】表示パネルの表示画面を用いた通信機能の登録手順を段階的に示す図である。
【符号の説明】
１  ファクシミリ装置
２  表示パネル
３  本体装置
１０  本体側接続部
１２  表示部
１５  本体制御部
１６  本体側ＲＯＭ
１７  本体側ＲＡＭ
１８  登録部
２４  パネル検知部
２６  本体側無線通信部
２８  パネル側無線通信部
３１  パネル制御部
３５  パネル側ＲＯＭ
３６  パネル側ＲＡＭ
３７  音発生部
【図１】
2004236147.tif 000003
【図２】
2004236147.tif 000004
【図３】
2004236147.tif 000005
【図４】
2004236147.tif 000006
【図５】
2004236147.tif 000007
【図６】
2004236147.tif 000008
【図７】
2004236147.tif 000009